(57)【要約】【課題】本発明は新型の台所ごみ処理機を開示した。【解決手段】台座を含み、前記台座に運動筐体が設置され、前記運動筐体の下に前記台座に位置する第一伝送筐体が設置され、前記第一伝送筐体の左側に前記台座に位置する第二伝送筐体が設置され、前記第二伝送筐体の左側に前記台体に位置する第三伝送筐体が設置され、前記第三伝送筐体の下端壁に収縮筒が設置され、前記運動筐体の上端壁に左右対称に上に外部へ延びる第一パイプと第二パイプが設置され、前記第二パイプの上端面に第一ゲートバルブが設置され、前記第一パイプの上端面に第二ゲートバルブが設置され、前記第一ゲートバルブの上端面に第三パイプが設置され、前記第二ゲートバルブの上端面に第四パイプが設置され、本発明は構造が簡単で、使用が便利で、この設備が低温スチームを使ってカム構造を駆動しごみを粉砕し、有効的に仕事効率を高める。【選択図】図3
2019181422.tif 000002
【特許請求の範囲】
【請求項１】
新型の台所ごみ処理機であって、台座を含み、前記台座に運動筐体が設置され、前記運動筐体の下に前記台座に位置する第一伝送筐体が設置され、前記第一伝送筐体の左側に前記台座に位置する第二伝送筐体が設置され、前記第二伝送筐体の左側に前記台体に位置する第三伝送筐体が設置され、前記第三伝送筐体の下端壁に収縮筒が設置され、前記運動筐体の上端壁に左右対称に上に外部へ延びる第一パイプと第二パイプが設置され、前記第二パイプの上端面に第一ゲートバルブが設置され、前記第一パイプの上端面に第二ゲートバルブが設置され、前記第一ゲートバルブの上端面に第三パイプが設置され、前記第二ゲートバルブの上端面に第四パイプが設置され、前記運動筐体の下端壁に右の外部に延びる第五パイプが連結するように設置され、前記運動筐体の下端壁に左の外部に延びる第六パイプが連結するように設置され、前記第五パイプの右端面に第三ゲートバルブが連結するように設置され、前記第六パイプの左端面に第四ゲートバルブが連結するように設置され、前記第三ゲートバルブの右端面に第七パイプが連結するように設置され、前記第四ゲートバルブの左端面に第八パイプが連結するように設置され、前記運動筐体の上下端壁の間に下に第一伝送筐体に延びる転向軸が回転可能なように設置され、前記転向軸の外表面に前記運動筐体に位置するボックス扇が固定的に設置され、前記転向軸の下端面に第一円錐形プーリーが固定的に設置され、前記第一円錐形プーリーの左側に第二円錐形プーリーが噛み合って設置され、前記第二円錐形プーリーの左端面に第一アームレバーが固定的に設置され、前記第一アームレバーが回転し前記第一伝送筐体の左端面を通り抜けて前記第二伝送筐体に推進し、前記第一アームレバーの左端面に前記第二伝送筐体に位置する第一ギアが固定的に設置され、前記第一ギアの下に第二ギアが噛み合って設置され、前記第二ギアに左に前記第三伝送筐体に推進する第二アームレバーが固定的に設置され、前記第二アームレバーが前記第二伝送筐体の左端壁と回転可能なように係合し接続し、前記第二アームレバーの左端面に第二ギアが固定的に設置され、前記第三伝送筐体の下端壁に移動制限ブロックが固定的に設置され、前記移動制限ブロックに上下に通り抜ける滑り移動筐体が固定的に設置され、前記滑り移動筐体の後端壁の外表面に上下に延びる滑り移動レールが固定的に設置され、前記滑り移動レールの前端面に上下に延びるラックがスライド可能なように設置され、前記ラックと前記第二ギアと噛み合い、前記ラックが前記収縮筒に推進し前記収縮筒の後端壁とスライド可能に係合し接続し、前記ラックの下端面に前記収縮筒とスライド可能に係合し接続する収縮板が固定的に設置され、前記収縮板の下端面に押し移動レバーが固定的に設置され、前記押し移動レバーがスライドし前記収縮筒の下端壁を通り抜けて前記粉砕筐体に推進し、前記押し移動レバーの下端に第三アームレバーが固定的に設置され、前記第三アームレバーの外表面に置物が回転可能なように設置され、前記置物の下端に第三アームレバーが固定的に設置され、前記第三アームレバーの外表面に粉砕ブレードが回転可能なように設置され、前記粉砕筐体の前後端壁に第四アームレバーが固定的に設置され、前記第四アームレバーが前記粉砕ブレードと回転可能なように係合し接続し、前記粉砕筐体の左端壁に左の外部に延びる第九パイプが連結するように設置され、前記第九パイプの左端面に第五ゲートバルブが連結するように設置され、前記第五ゲートバルブの左端面に第十パイプが連結するように設置され、前記台座の右側に外部に位置するゴミ箱が設置され、前記ゴミ箱に穴筐体が固定的に設置され、前記穴筐体にギア台が固定的に設置され、前記ギア台と前記穴筐体が回転可能なように係合し接続し、前記穴筐体の上端壁にホッパが連結するように設置され、前記穴筐体の下端壁に第十パイプが連結するように設置され、前記第十パイプの下端壁に貯蔵筐体が連結するように設置され、前記貯蔵筐体の右端壁に外部に延びる第十一パイプが連結するように設置され、前記ゴミ箱の右端面に前記第十一パイプと連結するドライヤーが固定的に設置され、前記貯蔵筐体の左端壁に左に前記粉砕筐体に延びる第十二パイプが連結するように設置され、前記第十二パイプの下端面に前記粉砕筐体に位置する混合桶が連結するように設置され、前記混合桶の右端面に前記台座を通り抜けて外部に伸びる第九パイプが連結するように設置され、前記第九パイプの右端面に第六ゲートバルブが連結するように設置され、前記第六ゲートバルブの右端面に第十三パイプが連結するように設置され、前記混合桶の下端面に第十四パイプが連結するように設置され、前記台座の頂端にライトコントローラ装置が設置され、前記粉砕ブレードが前記粉砕筐体に自由に揺れ動き、前記第十二パイプと前記第九パイプが一体式構造に連結し、前記転向軸が前記運動筐体と接触する部位にゴム輪が回転可能なように設置され、前記粉砕ブレードがカム式構造であり、前記粉砕ブレードが突起式構造であり、前記ライトコントローラ装置は前記台座の頂部端面右側位置に固定的に取り付けられる灯柱を含み、前記灯柱の頂端にLEDライトが設置されることを特徴とする新型の台所ごみ処理機。
【発明の詳細な説明】
【技術分野】
【０００１】
本発明は家庭用設備分野に関し、具体的には新型の台所ごみ処理機に関する。
【背景技術】
【０００２】
台所ごみ処理設備は家庭の台所のタンクの排水口に取り付けて、便利に残渣、残り料理などの生ごみを細かい粒に粉砕し流れに沿ってパイプより排出し、現在の台所ごみ処理設備が取り付けにくく、保守に不便で、電気しか駆動できなく、停電する時に使用できない。
【先行技術文献】
【特許文献】
【０００３】
【特許文献１】中国特許出願公開第105058285号明細書
【発明の概要】
【発明が解決しようとする課題】
【０００４】
本発明は解決する必要な技術問題に対して新型の台所ごみ処理機を提供し、それは現在の技術問題を解決できる。
【課題を解決するための手段】
【０００５】
本発明の新型の台所ごみ処理機は台座を含み、前記台座に運動筐体が設置され、前記運動筐体の下に前記台座に位置する第一伝送筐体が設置され、前記第一伝送筐体の左側に前記台座に位置する第二伝送筐体が設置され、前記第二伝送筐体の左側に前記台体に位置する第三伝送筐体が設置され、前記第三伝送筐体の下端壁に収縮筒が設置され、前記運動筐体の上端壁に左右対称に上に外部へ延びる第一パイプと第二パイプが設置され、前記第二パイプの上端面に第一ゲートバルブが設置され、前記第一パイプの上端面に第二ゲートバルブが設置され、前記第一ゲートバルブの上端面に第三パイプが設置され、前記第二ゲートバルブの上端面に第四パイプが設置され、前記運動筐体の下端壁に右の外部に延びる第五パイプが連結するように設置され、前記運動筐体の下端壁に左の外部に延びる第六パイプが連結するように設置され、前記第五パイプの右端面に第三ゲートバルブが連結するように設置され、前記第六パイプの左端面に第四ゲートバルブが連結するように設置され、前記第三ゲートバルブの右端面に第七パイプが連結するように設置され、前記第四ゲートバルブの左端面に第八パイプが連結するように設置され、前記運動筐体の上下端壁の間に下に第一伝送筐体に延びる転向軸が回転可能なように設置され、前記転向軸の外表面に前記運動筐体に位置するボックス扇が固定的に設置され、前記転向軸の下端面に第一円錐形プーリーが固定的に設置され、前記第一円錐形プーリーの左側に第二円錐形プーリーが噛み合って設置され、前記第二円錐形プーリーの左端面に第一アームレバーが固定的に設置され、前記第一アームレバーが回転し前記第一伝送筐体の左端面を通り抜けて前記第二伝送筐体に推進し、前記第一アームレバーの左端面に前記第二伝送筐体に位置する第一ギアが固定的に設置され、前記第一ギアの下に第二ギアが噛み合って設置され、前記第二ギアに左に前記第三伝送筐体に推進する第二アームレバーが固定的に設置され、前記第二アームレバーが前記第二伝送筐体の左端壁と回転可能なように係合し接続し、前記第二アームレバーの左端面に第二ギアが固定的に設置され、前記第三伝送筐体の下端壁に移動制限ブロックが固定的に設置され、前記移動制限ブロックに上下に通り抜ける滑り移動筐体が固定的に設置され、前記滑り移動筐体の後端壁の外表面に上下に延びる滑り移動レールが固定的に設置され、前記滑り移動レールの前端面に上下に延びるラックがスライド可能なように設置され、前記ラックと前記第二ギアと噛み合い、前記ラックが前記収縮筒に推進し前記収縮筒の後端壁とスライド可能に係合し接続し、前記ラックの下端面に前記収縮筒とスライド可能に係合し接続する収縮板が固定的に設置され、前記収縮板の下端面に押し移動レバーが固定的に設置され、前記押し移動レバーがスライドし前記収縮筒の下端壁を通り抜けて前記粉砕筐体に推進し、前記押し移動レバーの下端に第三アームレバーが固定的に設置され、前記第三アームレバーの外表面に置物が回転可能なように設置され、前記置物の下端に第三アームレバーが固定的に設置され、前記第三アームレバーの外表面に粉砕ブレードが回転可能なように設置され、前記粉砕筐体の前後端壁に第四アームレバーが固定的に設置され、前記第四アームレバーが前記粉砕ブレードと回転可能なように係合し接続し、前記粉砕筐体の左端壁に左の外部に延びる第九パイプが連結するように設置され、前記第九パイプの左端面に第五ゲートバルブが連結するように設置され、前記第五ゲートバルブの左端面に第十パイプが連結するように設置され、前記台座の右側に外部に位置するゴミ箱が設置され、前記ゴミ箱に穴筐体が固定的に設置され、前記穴筐体にギア台が固定的に設置され、前記ギア台と前記穴筐体が回転可能なように係合し接続し、前記穴筐体の上端壁にホッパが連結するように設置され、前記穴筐体の下端壁に第十パイプが連結するように設置され、前記第十パイプの下端壁に貯蔵筐体が連結するように設置され、前記貯蔵筐体の右端壁に外部に延びる第十一パイプが連結するように設置され、前記ゴミ箱の右端面に前記第十一パイプと連結するドライヤーが固定的に設置され、前記貯蔵筐体の左端壁に左に前記粉砕筐体に延びる第十二パイプが連結するように設置され、前記第十二パイプの下端面に前記粉砕筐体に位置する混合桶が連結するように設置され、前記混合桶の右端面に前記台座を通り抜けて外部に伸びる第九パイプが連結するように設置され、前記第九パイプの右端面に第六ゲートバルブが連結するように設置され、前記第六ゲートバルブの右端面に第十三パイプが連結するように設置され、前記混合桶の下端面に第十四パイプが連結するように設置され、前記台座100の頂端にライトコントローラ装置が設置される。
【０００６】
他の技術方案として前記粉砕ブレードが前記粉砕筐体に自由に揺れ動く。
【０００７】
他の技術方案として前記第十二パイプと前記第九パイプが一体式構造に連結し、これにより設備の安定性を高める。
【０００８】
他の技術方案として前記転向軸が前記運動筐体と接触する部位にゴム輪が回転可能なように設置され、設備の密閉性を高める。
【０００９】
他の技術方案として前記粉砕ブレードがカム式構造であり、前記粉砕ブレードが突起式構造であり、粉砕効果を高める。
【００１０】
他の技術方案として前記ライトコントローラ装置は前記台座の頂部端面右側位置に固定的に取り付けられる灯柱を含み、前記灯柱の頂端にLEDライトが設置される。
【００１１】
本発明の有益な効果は、本発明に係る設備は初期状態にある時、前記第一ゲートバルブ、第三ゲートバルブ、第二ゲートバルブ、第四ゲートバルブ、第六ゲートバルブ、第五ゲートバルブが閉じる状態にあり、前記収縮板が前記収縮筒の中心に位置する。これにより設備の取付と修理維持に有利である。
【００１２】
設備が動作する時に、前記第一ゲートバルブと第三ゲートバルブを開き、低温スチームが前記第三パイプ、第一電ゲートバルブと第二パイプから前記運動筐体に入って、前記第五パイプ、第三ゲートバルブと第七パイプによって排出され、低温スチームが前記ボックス扇と連動して回転し、前記ボックス扇と固定する転向軸が回転した後に前記第一円錐形プーリーと第二円錐形プーリーと連動して回転し、前記第二円錐形プーリーと固定する第一アームレバーが回転した後に第一ギアと連動して回転し、前記第一ギアと噛み合う第二ギアが回転した後に第二アームレバーと連動して回転し、前記第二ギアが前記第二アームレバーと固定し、前記第二ギアが回転した後に前記ラックと連動して垂直にスライドし、その後に前記第一ゲートバルブと第三ゲートバルブを閉じて、同時に前記第二ゲートバルブ、第四ゲートバルブを開き、低温スチームが前記第四パイプ、第二ゲートバルブと第一パイプから前記運動筐体に入って、前記第六パイプ、第四ゲートバルブと第八パイプによって排出され、このように前記運動筐体に入る低温スチームの方向を交替に変えて、これにより前記ラックが垂直方向に繰り返してスライドすることを実現し、前記押し移動レバーが上下に繰り返してスライドし、前記押し移動レバーと置物が前記粉砕ブレードを駆動を継続し回転させ、前記ホッパに台所のごみを入れて、前記ギア台が回転した後に台所のごみが断続的に前記貯蔵筐体に落ちて、前記ドライヤーが流動気流を発生し、前記貯蔵筐体の中の台所のごみが前記第十二パイプを沿って前記混合桶に入って、前記第六ゲートバルブが開き、消毒液が前記第十三パイプ、第六ゲートバルブと第九パイプから前記混合桶に入って、前記混合桶に初歩の混合を行って前記第十四パイプを沿って前記粉砕筐体に落ちて、前記粉砕ブレードが前記粉砕筐体の中の混合ごみを十分に粉砕し、粉砕が完了した後、上記の動作部品を停止し上記の全てのゲートバルブを閉じて、前記第五ゲートバルブを開き、前記粉砕筐体の混合ごみが前記第九パイプ、第五ゲートバルブと第十パイプから流れ出る。カム式構造を使ってごみを粉砕し、同時に間欠送り方式を使って送り速度を制御し、有効的に設備の信頼性を高める。
【００１３】
設備が安定に動作する時に、前記ホッパにたえまなく台所のごみを入れて、制御プログラムを使って前記ギア台を制御し回転し、間欠送り機能を実現し、設備の作業効率を高める。
【００１４】
以上に述べたのはただ本発明の具体的な実施方式で、しかし本発明の保護範囲はここに限らないである。全部の創造的な労働を通じなく思いついた変化と取替は本発明の保護範囲にカバーされる。それゆえ本発明の保護範囲は特許請求の範囲が限定する保護範囲を基準とする。
【発明の効果】
【００１５】
本発明の有益な効果は、本発明に係る設備は初期状態にある時、前記第一ゲートバルブ、第三ゲートバルブ、第二ゲートバルブ、第四ゲートバルブ、第六ゲートバルブ、第五ゲートバルブが閉じる状態にあり、前記収縮板が前記収縮筒の中心に位置する。これにより設備の取付と修理維持に有利である。
【００１６】
設備が動作する時に、前記第一ゲートバルブと第三ゲートバルブを開き、低温スチームが前記第三パイプ、第一電ゲートバルブと第二パイプから前記運動筐体に入って、前記第五パイプ、第三ゲートバルブと第七パイプによって排出され、低温スチームが前記ボックス扇と連動して回転し、前記ボックス扇と固定する転向軸が回転した後に前記第一円錐形プーリーと第二円錐形プーリーと連動して回転し、前記第二円錐形プーリーと固定する第一アームレバーが回転した後に第一ギアと連動して回転し、前記第一ギアと噛み合う第二ギアが回転した後に第二アームレバーと連動して回転し、前記第二ギアが前記第二アームレバーと固定し、前記第二ギアが回転した後に前記ラックと連動して垂直にスライドし、その後に前記第一ゲートバルブと第三ゲートバルブを閉じて、同時に前記第二ゲートバルブ、第四ゲートバルブを開き、低温スチームが前記第四パイプ、第二ゲートバルブと第一パイプから前記運動筐体に入って、前記第六パイプ、第四ゲートバルブと第八パイプによって排出され、このように前記運動筐体に入る低温スチームの方向を交替に変えて、これにより前記ラックが垂直方向に繰り返してスライドすることを実現し、前記押し移動レバーが上下に繰り返してスライドし、前記押し移動レバーと置物が前記粉砕ブレードを駆動を継続し回転させ、前記ホッパに台所のごみを入れて、前記ギア台が回転した後に台所のごみが断続的に前記貯蔵筐体に落ちて、前記ドライヤーが流動気流を発生し、前記貯蔵筐体の中の台所のごみが前記第十二パイプを沿って前記混合桶に入って、前記第六ゲートバルブが開き、消毒液が前記第十三パイプ、第六ゲートバルブと第九パイプから前記混合桶に入って、前記混合桶に初歩の混合を行って前記第十四パイプを沿って前記粉砕筐体に落ちて、前記粉砕ブレードが前記粉砕筐体の中の混合ごみを十分に粉砕し、粉砕が完了した後、上記の動作部品を停止し上記の全てのゲートバルブを閉じて、前記第五ゲートバルブを開き、前記粉砕筐体の混合ごみが前記第九パイプ、第五ゲートバルブと第十パイプから流れ出る。カム式構造を使ってごみを粉砕し、同時に間欠送り方式を使って送り速度を制御し、有効的に設備の信頼性を高める。
【００１７】
設備が安定に動作する時に、前記ホッパにたえまなく台所のごみを入れて、制御プログラムを使って前記ギア台を制御し回転し、間欠送り機能を実現し、設備の作業効率を高める。
【図面の簡単な説明】
【００１８】
本発明の実施例また既存の技術の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１９】
【図１】図１は本発明の新型の台所ごみ処理機の全体構造概略図である。
【図２】図２は図１のA-A方向の概略図である。
【図３】図３は図１の分布拡大構造概略図である。
【発明を実施するための形態】
【００２０】
本明細書に開示した全ての特徴、或いは開示した全ての方法、過程中のステップは、互いに排斥する特徴或いはステップ以外に、いかなる方式で組み合わせることができる。
【００２１】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００２２】
図1〜3が示すように、本発明の新型の台所ごみ処理機は台座100を含み、前記台座100に運動筐体101が設置され、前記運動筐体101の下に前記台座100に位置する第一伝送筐体150が設置され、前記第一伝送筐体150の左側に前記台座100に位置する第二伝送筐体152が設置され、前記第二伝送筐体152の左側に前記台体100に位置する第三伝送筐体103が設置され、前記第三伝送筐体103の下端壁に収縮筒158が設置され、前記運動筐体101の上端壁に左右対称に上に外部へ延びる第一パイプ184と第二パイプ138が設置され、前記第二パイプ138の上端面に第一ゲートバルブ140が設置され、前記第一パイプ184の上端面に第二ゲートバルブ182が設置され、前記第一ゲートバルブ140の上端面に第三パイプ139が設置され、前記第二ゲートバルブ182の上端面に第四パイプ183が設置され、前記運動筐体101の下端壁に右の外部に延びる第五パイプ137が連結するように設置され、前記運動筐体101の下端壁に左の外部に延びる第六パイプ190が連結するように設置され、前記第五パイプ137の右端面に第三ゲートバルブ136が連結するように設置され、前記第六パイプ190の左端面に第四ゲートバルブ185が連結するように設置され、前記第三ゲートバルブ136の右端面に第七パイプ135が連結するように設置され、前記第四ゲートバルブ185の左端面に第八パイプ180が連結するように設置され、前記運動筐体101の上下端壁の間に下に第一伝送筐体150に延びる転向軸141が回転可能なように設置され、前記転向軸141の外表面に前記運動筐体101に位置するボックス扇142が固定的に設置され、前記転向軸141の下端面に第一円錐形プーリー102が固定的に設置され、前記第一円錐形プーリー102の左側に第二円錐形プーリー143が噛み合って設置され、前記第二円錐形プーリー143の左端面に第一アームレバー144が固定的に設置され、前記第一アームレバー144が回転し前記第一伝送筐体150の左端面を通り抜けて前記第二伝送筐体152に推進し、前記第一アームレバー144の左端面に前記第二伝送筐体152に位置する第一ギア145が固定的に設置され、前記第一ギア145の下に第二ギア146が噛み合って設置され、前記第二ギア146に左に前記第三伝送筐体103に推進する第二アームレバー153が固定的に設置され、前記第二アームレバー153が前記第二伝送筐体152の左端壁と回転可能なように係合し接続し、前記第二アームレバー153の左端面に第二ギア105が固定的に設置され、前記第三伝送筐体103の下端壁に移動制限ブロック160が固定的に設置され、前記移動制限ブロック160に上下に通り抜ける滑り移動筐体200が固定的に設置され、前記滑り移動筐体200の後端壁の外表面に上下に延びる滑り移動レール106が固定的に設置され、前記滑り移動レール106の前端面に上下に延びるラック104がスライド可能なように設置され、前記ラック104と前記第二ギア105と噛み合い、前記ラック104が前記収縮筒158に推進し前記収縮筒158の後端壁とスライド可能に係合し接続し、前記ラック104の下端面に前記収縮筒158とスライド可能に係合し接続する収縮板107が固定的に設置され、前記収縮板107の下端面に押し移動レバー108が固定的に設置され、前記押し移動レバー108がスライドし前記収縮筒158の下端壁を通り抜けて前記粉砕筐体118に推進し、前記押し移動レバー108の下端に第三アームレバー109が固定的に設置され、前記第三アームレバー109の外表面に置物110が回転可���なように設置され、前記置物110の下端に第三アームレバー111が固定的に設置され、前記第三アームレバー111の外表面に粉砕ブレード112が回転可能なように設置され、前記粉砕筐体118の前後端壁に第四アームレバー119が固定的に設置され、前記第四アームレバー119が前記粉砕ブレード112と回転可能なように係合し接続し、前記粉砕筐体118の左端壁に左の外部に延びる第九パイプ117が連結するように設置され、前記第九パイプ117の左端面に第五ゲートバルブ116が連結するように設置され、前記第五ゲートバルブ116の左端面に第十パイプ115が連結するように設置され、前記台座100の右側に外部に位置するゴミ箱127が設置され、前記ゴミ箱127に穴筐体133が固定的に設置され、前記穴筐体133にギア台132が固定的に設置され、前記ギア台132と前記穴筐体133が回転可能なように係合し接続し、前記穴筐体133の上端壁にホッパ134が連結するように設置され、前記穴筐体133の下端壁に第十パイプ131が連結するように設置され、前記第十パイプ131の下端壁に貯蔵筐体126が連結するように設置され、前記貯蔵筐体126の右端壁に外部に延びる第十一パイプ130が連結するように設置され、前記ゴミ箱127の右端面に前記第十一パイプ130と連結するドライヤー128が固定的に設置され、前記貯蔵筐体126の左端壁に左に前記粉砕筐体118に延びる第十二パイプ125が連結するように設置され、前記第十二パイプ125の下端面に前記粉砕筐体118に位置する混合桶121が連結するように設置され、前記混合桶121の右端面に前記台座100を通り抜けて外部に伸びる第九パイプ122が連結するように設置され、前記第九パイプ122の右端面に第六ゲートバルブ123が連結するように設置され、前記第六ゲートバルブ123の右端面に第十三パイプ124が連結するように設置され、前記混合桶121の下端面に第十四パイプ120が連結するように設置され、前記台座100の頂端にライトコントローラ装置が設置される。
【００２３】
好ましくは、前記粉砕ブレード112が前記粉砕筐体118に自由に揺れ動き、これにより装置の粉砕効果を高める。
【００２４】
好ましくは、前記第十二パイプ125と前記第九パイプ122が一体式構造に連結し、これにより設備の安定性を高める。
【００２５】
好ましくは、前記転向軸141が前記運動筐体101と接触する部位にゴム輪が回転可能なように設置され、設備の密閉性を高める。
【００２６】
好ましくは、前記粉砕ブレード112がカム式構造であり、前記粉砕ブレード112が突起式構造であり、粉砕効果を高める。
【００２７】
好ましくは、前記ライトコントローラ装置は前記台座100の頂部端面右側位置に固定的に取り付けられる灯柱171を含み、前記灯柱171の頂端にLEDライト172が設置され、これにより照明作用を提供する。
【００２８】
本発明に係る設備は初期状態にある時、前記第一ゲートバルブ140、第三ゲートバルブ136、第二ゲートバルブ182、第四ゲートバルブ181、第六ゲートバルブ123、第五ゲートバルブ116が閉じる状態にあり、前記収縮板107が前記収縮筒158の中心に位置する。
【００２９】
設備が動作する時に、前記第一ゲートバルブ140と第三ゲートバルブ136を開き、低温スチームが前記第三パイプ139、第一電ゲートバルブ140と第二パイプ138から前記運動筐体101に入って、前記第五パイプ137、第三ゲートバルブ136と第七パイプ139によって排出され、低温スチームが前記ボックス扇142と連動して回転し、前記ボックス扇142と固定する転向軸141が回転した後に前記第一円錐形プーリー102と第二円錐形プーリー143と連動して回転し、前記第二円錐形プーリー143と固定する第一アームレバー144が回転した後に第一ギア145と連動して回転し、前記第一ギア145と噛み合う第二ギア146が回転した後に第二アームレバー153と連動して回転し、前記第二ギア105が前記第二アームレバー153と固定し、前記第二ギア105が回転した後に前記ラック104と連動して垂直にスライドし、その後に前記第一ゲートバルブ140と第三ゲートバルブ136を閉じて、同時に前記第二ゲートバルブ182、第四ゲートバルブ185を開き、低温スチームが前記第四パイプ183、第二ゲートバルブ182と第一パイプ184から前記運動筐体101に入って、前記第六パイプ190、第四ゲートバルブ185と第八パイプ180によって排出され、このように前記運動筐体101に入る低温スチームの方向を交替に変えて、これにより前記ラック104が垂直方向に繰り返してスライドすることを実現し、前記押し移動レバー108が上下に繰り返してスライドし、前記押し移動レバー108と置物110が前記粉砕ブレード112を駆動を継続し回転させ、前記ホッパ134に台所のごみを入れて、前記ギア台132が回転した後に台所のごみが断続的に前記貯蔵筐体126に落ちて、前記ドライヤー128が流動気流を発生し、前記貯蔵筐体126の中の台所のごみが前記第十二パイプ125を沿って前記混合桶121に入って、前記第六ゲートバルブ123が開き、消毒液が前記第十三パイプ124、第六ゲートバルブ123と第九パイプ122から前記混合桶121に入って、前記混合桶121に初歩の混合を行って前記第十四パイプ120を沿って前記粉砕筐体118に落ちて、前記粉砕ブレード112が前記粉砕筐体118の中の混合ごみを十分に粉砕し、粉砕が完了した後、上記の動作部品を停止し上記の全てのゲートバルブを閉じて、前記第五ゲートバルブ116を開き、前記粉砕筐体118の混合ごみが前記第九パイプ117、第五ゲートバルブ116と第十パイプ115から流れ出る。
【００３０】
設備が安定に動作する時に、前記ホッパ134にたえまなく台所のごみを入れて、制御プログラムを使って前記ギア台132を制御し回転し、間欠送り機能を実現する。
【００３１】
本発明の有益な効果は、本発明に係る設備は初期状態にある時、前記第一ゲートバルブ、第三ゲートバルブ、第二ゲートバルブ、第四ゲートバルブ、第六ゲートバルブ、第五ゲートバルブが閉じる状態にあり、前記収縮板が前記収縮筒の中心に位置する。これにより設備の取付と修理維持に有利である。
【００３２】
設備が動作する時に、前記第一ゲートバルブと第三ゲートバルブを開き、低温スチームが前記第三パイプ、第一電ゲートバルブと第二パイプから前記運動筐体に入って、前記第五パイプ、第三ゲートバルブと第七パイプによって排出され、低温スチームが前記ボックス扇と連動して回転し、前記ボックス扇と固定する転向軸が回転した後に前記第一円錐形プーリーと第二円錐形プーリーと連動して回転し、前記第二円錐形プーリーと固定する第一アームレバーが回転した後に第一ギアと連動して回転し、前記第一ギアと噛み合う第二ギアが回転した後に第二アームレバーと連動して回転し、前記第二ギアが前記第二アームレバーと固定し、前記第二ギアが回転した後に前記ラックと連動して垂直にスライドし、その後に前記第一ゲートバルブと第三ゲートバルブを閉じて、同時に前記第二ゲートバルブ、第四ゲートバルブを開き、低温スチームが前記第四パイプ、第二ゲートバルブと第一パイプから前記運動筐体に入って、前記第六パイプ、第四ゲートバルブと第八パイプによって排出され、このように前記運動筐体に入る低温スチームの方向を交替に変えて、これにより前記ラックが垂直方向に繰り返してスライドすることを実現し、前記押し移動レバーが上下に繰り返してスライドし、前記押し移動レバーと置物が前記粉砕ブレードを駆動を継続し回転させ、前記ホッパに台所のごみを入れて、前記ギア台が回転した後に台所のごみが断続的に前記貯蔵筐体に落ちて、前記ドライヤーが流動気流を発生し、前記貯蔵筐体の中の台所のごみが前記第十二パイプを沿って前記混合桶に入って、前記第六ゲートバルブが開き、消毒液が前記第十三パイプ、第六ゲートバルブと第九パイプから前記混合桶に入って、前記混合桶に初歩の混合を行って前記第十四パイプを沿って前記粉砕筐体に落ちて、前記粉砕ブレードが前記粉砕筐体の中の混合ごみを十分に粉砕し、粉砕が完了した後、上記の動作部品を停止し上記の全てのゲートバルブを閉じて、前記第五ゲートバルブを開き、前記粉砕筐体の混合ごみが前記第九パイプ、第五ゲートバルブと第十パイプから流れ出る。カム式構造を使ってごみを粉砕し、同時に間欠送り方式を使って送り速度を制御し、有効的に設備の信頼性を高める。
【００３３】
設備が安定に動作する時に、前記ホッパにたえまなく台所のごみを入れて、制御プログラムを使って前記ギア台を制御し回転し、間欠送り機能を実現し、設備の作業効率を高める。
【００３４】
本発明は構造が簡単で、使用が便利で、この設備が低温スチームを使ってカム構造を駆動しごみを粉砕し、有効的に仕事効率を高める。
【００３５】
以上に述べたのはただ本発明のより良い実施例で、本発明を限定することに使わないである。本発明の意義と原則のもとで行う全ての修正、同等の入れ替えと改善などは本発明の保護範囲に含まれる。したがって、発明の保護範囲は特許請求の範囲が画定する保護範囲を基準とすべきである。
【図１】
2019181422.tif 000003
【図２】
2019181422.tif 000004
【図３】
2019181422.tif 000005
【手続補正書】
【提出日】平成30年9月29日(2018.9.29)
【手続補正１】
【補正対象書類名】特許請求の範囲
【補正対象項目名】全文
【補正方法】変更
【補正の内容】
【特許請求の範囲】
【請求項１】
台所ごみ処理機であって、台座を含み、前記台座に運動筐体が設置され、前記運動筐体の下に前記台座に位置する第一伝送筐体が設置され、前記第一伝送筐体の左側に前記台座に位置する第二伝送筐体が設置され、前記第二伝送筐体の左側に前記台座に位置する第三伝送筐体が設置され、前記第三伝送筐体の下端壁に収縮筒が設置され、前記運動筐体の上端壁に左右対称に上に外部へ延びる第一パイプと第二パイプが設置され、前記第二パイプの上端面に第一ゲートバルブが設置され、前記第一パイプの上端面に第二ゲートバルブが設置され、前記第一ゲートバルブの上端面に第三パイプが設置され、前記第二ゲートバルブの上端面に第四パイプが設置され、前記運動筐体の下端壁に右の外部に延びる第五パイプが連結するように設置され、前記運動筐体の下端壁に左の外部に延びる第六パイプが連結するように設置され、前記第五パイプの右端面に第三ゲートバルブが連結するように設置され、前記第六パイプの左端面に第四ゲートバルブが連結するように設置され、前記第三ゲートバルブの右端面に第七パイプが連結するように設置され、前記第四ゲートバルブの左端面に第八パイプが連結するように設置され、前記運動筐体の上下端壁の間には下へ伸びて前記第一伝送筐体に挿入する転向軸が回転できるように設置され、前記転向軸の外表面に前記運動筐体に位置するボックス扇が固定的に設置され、前記転向軸の下端面に第一円錐形プーリーが固定的に設置され、前記第一円錐形プーリーの左側に第二円錐形プーリーが噛み合って設置され、前記第二円錐形プーリーの左端面に第一アームレバーが固定的に設置され、前記第一アームレバーが回転し前記第一伝送筐体の左端面を通り抜けて前記第二伝送筐体に推進し、前記第一アームレバーの左端面に前記第二伝送筐体に位置する第一ギアが固定的に設置され、前記第一ギアの下に第二ギアが噛み合って設置され、前記第二ギアに左に前記第三伝送筐体に推進する第二アームレバーが固定的に設置され、前記第二アームレバーが前記第二伝送筐体の左端壁と回転可能なように係合し接続し、前記第二アームレバーの左端面に第三ギアが固定的に設置され、前記第三伝送筐体の下端壁に移動制限ブロックが固定的に設置され、前記移動制限ブロックに上下に通り抜ける滑り移動筐体が固定的に設置され、前記滑り移動筐体の後端壁の外表面に上下に延びる滑り移動レールが固定的に設置され、前記滑り移動レールの前端面に上下に延びるラックがスライド可能なように設置され、前記ラックと前記第二ギアと噛み合い、前記ラックが前記収縮筒に推進し前記収縮筒の後端壁とスライド可能に係合し接続し、前記ラックの下端面に前記収縮筒とスライド可能に係合し接続する収縮板が固定的に設置され、前記収縮板の下端面に押し移動レバーが固定的に設置され、前記押し移動レバーがスライドし前記収縮筒の下端壁を通り抜けて粉砕筐体に推進し、前記押し移動レバーの下端に第三アームレバーが固定的に設置され、前記第三アームレバーの外表面にスイング部品が回転可能なように設置され、前記スイング部品の下端に第四アームレバーが固定的に設置され、前記第四アームレバーの外表面に粉砕ブレードが回転可能なように設置され、前記粉砕筐体の前後端壁に第四アームレバーが固定的に設置され、前記第四アームレバーが前記粉砕ブレードと回転可能なように係合し接続し、前記粉砕筐体の左端壁に左の外部に延びる第九パイプが連結するように設置され、前記第九パイプの左端面に第五ゲートバルブが連結するように設置され、前記第五ゲートバルブの左端面に第十パイプが連結するように設置され、前記台座の右側に外部に位置するゴミ箱が設置され、前記ゴミ箱に円形回転キャビティが固定的に設置され、前記円形回転キャビティにギア台が固定的に設置され、前記ギア台と前記円形回転キャビティが回転可能なように係合し接続し、前記円形回転キャビティの上端壁にホッパが連結するように設置され、前記円形回転キャビティの下端壁に第十一パイプが連結するように設置され、前記第十一パイプの下端壁に貯蔵筐体が連結するように設置され、前記貯蔵筐体の右端壁に外部に延びる第十二パイプが連結するように設置され、前記ゴミ箱の右端面に前記第十二パイプと連結するドライヤーが固定的に設置され、前記貯蔵筐体の左端壁に左に前記粉砕筐体に延びる第十三パイプが連結するように設置され、前記第十三パイプの下端面に前記粉砕筐体に位置する混合桶が連結するように設置され、前記混合桶の右端面に前記台座を通り抜けて外部に伸びる第十四パイプが連結するように設置され、前記第九パイプの右端面に第六ゲートバルブが連結するように設置され、前記第六ゲートバルブの右端面に第十五パイプが連結するように設置され、前記混合桶の下端面に第十六パイプが連結するように設置され、前記台座の頂端にライトコントローラ装置が設置され、前記粉砕ブレードが前記粉砕筐体に自由に揺れ動き、前記第十三パイプと前記第九パイプが連結し、前記転向軸が前記運動筐体と接触する部位にゴム輪が回転可能なように設置され、前記粉砕ブレードがカム式構造であり、前記ライトコントローラ装置は前記台座の頂部端面右側位置に固定的に取り付けられる灯柱を含み、前記灯柱の頂端にLEDライトが設置されることを特徴とする台所ごみ処理機。
【手続補正２】
【補正対象書類名】明細書
【補正対象項目名】全文
【補正方法】変更
【補正の内容】
【発明の詳細な説明】
【技術分野】
【０００１】
本発明は家庭用設備分野に関し、具体的には台所ごみ処理機に関する。
【背景技術】
【０００２】
台所ごみ処理設備は家庭の台所のタンクの排水口に取り付けて、便利に残渣、残り料理などの生ごみを細かい粒に粉砕し流れに沿ってパイプより排出し、現在の台所ごみ処理設備が取り付けにくく、保守に不便で、電気しか駆動できなく、停電する時に使用できない。
【先行技術文献】
【特許文献】
【０００３】
【特許文献１】中国特許出願公開第105058285号明細書
【発明の概要】
【発明が解決しようとする課題】
【０００４】
本発明は解決する必要な技術問題に対して台所ごみ処理機を提供し、それは現在の技術問題を解決できる。
【課題を解決するための手段】
【０００５】
本発明の台所ごみ処理機は台座を含み、前記台座に運動筐体が設置され、前記運動筐体の下に前記台座に位置する第一伝送筐体が設置され、前記第一伝送筐体の左側に前記台座に位置する第二伝送筐体が設置され、前記第二伝送筐体の左側に前記台座に位置する第三伝送筐体が設置され、前記第三伝送筐体の下端壁に収縮筒が設置され、前記運動筐体の上端壁に左右対称に上に外部へ延びる第一パイプと第二パイプが設置され、前記第二パイプの上端面に第一ゲートバルブが設置され、前記第一パイプの上端面に第二ゲートバルブが設置され、前記第一ゲートバルブの上端面に第三パイプが設置され、前記第二ゲートバルブの上端面に第四パイプが設置され、前記運動筐体の下端壁に右の外部に延びる第五パイプが連結するように設置され、前記運動筐体の下端壁に左の外部に延びる第六パイプが連結するように設置され、前記第五パイプの右端面に第三ゲートバルブが連結するように設置され、前記第六パイプの左端面に第四ゲートバルブが連結するように設置され、前記第三ゲートバルブの右端面に第七パイプが連結するように設置され、前記第四ゲートバルブの左端面に第八パイプが連結するように設置され、前記運動筐体の上下端壁の間には下へ伸びて前記第一伝送筐体に挿入する転向軸が回転できるように設置され、前記転向軸の外表面に前記運動筐体に位置するボックス扇が固定的に設置され、前記転向軸の下端面に第一円錐形プーリーが固定的に設置され、前記第一円錐形プーリーの左側に第二円錐形プーリーが噛み合って設置され、前記第二円錐形プーリーの左端面に第一アームレバーが固定的に設置され、前記第一アームレバーが回転し前記第一伝送筐体の左端面を通り抜けて前記第二伝送筐体に推進し、前記第一アームレバーの左端面に前記第二伝送筐体に位置する第一ギアが固定的に設置され、前記第一ギアの下に第二ギアが噛み合って設置され、前記第二ギアに左に前記第三伝送筐体に推進する第二アームレバーが固定的に設置され、前記第二アームレバーが前記第二伝送筐体の左端壁と回転可能なように係合し接続し、前記第二アームレバーの左端面に第三ギアが固定的に設置され、前記第三伝送筐体の下端壁に移動制限ブロックが固定的に設置され、前記移動制限ブロックに上下に通り抜ける滑り移動筐体が固定的に設置され、前記滑り移動筐体の後端壁の外表面に上下に延びる滑り移動レールが固定的に設置され、前記滑り移動レールの前端面に上下に延びるラックがスライド可能なように設置され、前記ラックと前記第二ギアと噛み合い、前記ラックが前記収縮筒に推進し前記収縮筒の後端壁とスライド可能に係合し接続し、前記ラックの下端面に前記収縮筒とスライド可能に係合し接続する収縮板が固定的に設置され、前記収縮板の下端面に押し移動レバーが固定的に設置され、前記押し移動レバーがスライドし前記収縮筒の下端壁を通り抜けて粉砕筐体に推進し、前記押し移動レバーの下端に第三アームレバーが固定的に設置され、前記第三アームレバーの外表面にスイング部品が回転可能なように設置され、前記スイング部品の下端に第四アームレバーが固定的に設置され、前記第四アームレバーの外表面に粉砕ブレードが回転可能なように設置され、前記粉砕筐体の前後端壁に第四アームレバーが固定的に設置され、前記第四アームレバーが前記粉砕ブレードと回転可能なように係合し接続し、前記粉砕筐体の左端壁に左の外部に延びる第九パイプが連結するように設置され、前記第九パイプの左端面に第五ゲートバルブが連結するように設置され、前記第五ゲートバルブの左端面に第十パイプが連結するように設置され、前記台座の右側に外部に位置するゴミ箱が設置され、前記ゴミ箱に円形回転キャビティが固定的に設置され、前記円形回転キャビティにギア台が固定的に設置され、前記ギア台と前記円形回転キャビティが回転可能なように係合し接続し、前記円形回転キャビティの上端壁にホッパが連結するように設置され、前記円形回転キャビティの下端壁に第十一パイプが連結するように設置され、前記第十一パイプの下端壁に貯蔵筐体が連結するように設置され、前記貯蔵筐体の右端壁に外部に延びる第十二パイプが連結するように設置され、前記ゴミ箱の右端面に前記第十二パイプと連結するドライヤーが固定的に設置され、前記貯蔵筐体の左端壁に左に前記粉砕筐体に延びる第十三パイプが連結するように設置され、前記第十三パイプの下端面に前記粉砕筐体に位置する混合桶が連結するように設置され、前記混合桶の右端面に前記台座を通り抜けて外部に伸びる第十四パイプが連結するように設置され、前記第九パイプの右端面に第六ゲートバルブが連結するように設置され、前記第六ゲートバルブの右端面に第十五パイプが連結するように設置され、前記混合桶の下端面に第十六パイプが連結するように設置され、前記台座100の頂端にライトコントローラ装置が設置される。
【０００６】
他の技術方案として前記粉砕ブレードが前記粉砕筐体に自由に揺れ動く。
【０００７】
他の技術方案として前記第十三パイプと前記第九パイプが連結し、これにより設備の安定性を高める。
【０００８】
他の技術方案として前記転向軸が前記運動筐体と接触する部位にゴム輪が回転可能なように設置され、設備の密閉性を高める。
【０００９】
他の技術方案として前記粉砕ブレードがカム式構造であり、粉砕効果を高める。
【００１０】
他の技術方案として前記ライトコントローラ装置は前記台座の頂部端面右側位置に固定的に取り付けられる灯柱を含み、前記灯柱の頂端にLEDライトが設置される。
【００１１】
本発明の有益な効果は、本発明に係る設備は初期状態にある時、前記第一ゲートバルブ、第三ゲートバルブ、第二ゲートバルブ、第四ゲートバルブ、第六ゲートバルブ、第五ゲートバルブが閉じる状態にあり、前記収縮板が前記収縮筒の中心に位置する。これにより設備の取付と修理維持に有利である。
【００１２】
設備が動作する時に、前記第一ゲートバルブと第三ゲートバルブを開き、低温スチームが前記第三パイプ、第一電ゲートバルブと第二パイプから前記運動筐体に入って、前記第五パイプ、第三ゲートバルブと第七パイプによって排出され、低温スチームが前記ボックス扇と連動して回転し、前記ボックス扇と固定する転向軸が回転した後に前記第一円錐形プーリーと第二円錐形プーリーと連動して回転し、前記第二円錐形プーリーと固定する第一アームレバーが回転した後に第一ギアと連動して回転し、前記第一ギアと噛み合う第二ギアが回転した後に第二アームレバーと連動して回転し、前記第二ギアが前記第二アームレバーと固定し、前記第二ギアが回転した後に前記ラックと連動して垂直にスライドし、その後に前記第一ゲートバルブと第三ゲートバルブを閉じて、同時に前記第二ゲートバルブ、第四ゲートバルブを開き、低温スチームが前記第四パイプ、第二ゲートバルブと第一パイプから前記運動筐体に入って、前記第六パイプ、第四ゲートバルブと第八パイプによって排出され、このように前記運動筐体に入る低温スチームの方向を交替に変えて、これにより前記ラックが垂直方向に繰り返してスライドすることを実現し、前記押し移動レバーが上下に繰り返してスライドし、前記押し移動レバーとスイング部品が前記粉砕ブレードを駆動を継続し回転させ、前記ホッパに台所のごみを入れて、前記ギア台が回転した後に台所のごみが断続的に前記貯蔵筐体に落ちて、前記ドライヤーが流動気流を発生し、前記貯蔵筐体の中の台所のごみが前記第十三パイプを沿って前記混合桶に入って、前記第六ゲートバルブが開き、消毒液が前記第十五パイプ、第六ゲートバルブと第九パイプから前記混合桶に入って、前記混合桶に初歩の混合を行って前記第十六パイプを沿って前記粉砕筐体に落ちて、前記粉砕ブレードが前記粉砕筐体の中の混合ごみを十分に粉砕し、粉砕が完了した後、上記の動作部品を停止し上記の全てのゲートバルブを閉じて、前記第五ゲートバルブを開き、前記粉砕筐体の混合ごみが前記第九パイプ、第五ゲートバルブと第十パイプから流れ出る。カム式構造を使ってごみを粉砕し、同時に間欠送り方式を使って送り速度を制御し、有効的に設備の信頼性を高める。
【００１３】
設備が安定に動作する時に、前記ホッパにたえまなく台所のごみを入れて、制御プログラムを使って前記ギア台を制御し回転し、間欠送り機能を実現し、設備の作業効率を高める。
【００１４】
以上に述べたのはただ本発明の具体的な実施方式で、しかし本発明の保護範囲はここに限らないである。全部の創造的な労働を通じなく思いついた変化と取替は本発明の保護範囲にカバーされる。それゆえ本発明の保護範囲は特許請求の範囲が限定する保護範囲を基準とする。
【発明の効果】
【００１５】
本発明の有益な効果は、本発明に係る設備は初期状態にある時、前記第一ゲートバルブ、第三ゲートバルブ、第二ゲートバルブ、第四ゲートバルブ、第六ゲートバルブ、第五ゲートバルブが閉じる状態にあり、前記収縮板が前記収縮筒の中心に位置する。これにより設備の取付と修理維持に有利である。
【００１６】
設備が動作する時に、前記第一ゲートバルブと第三ゲートバルブを開き、低温スチームが前記第三パイプ、第一電ゲートバルブと第二パイプから前記運動筐体に入って、前記第五パイプ、第三ゲートバルブと第七パイプによって排出され、低温スチームが前記ボックス扇と連動して回転し、前記ボックス扇と固定する転向軸が回転した後に前記第一円錐形プーリーと第二円錐形プーリーと連動して回転し、前記第二円錐形プーリーと固定する第一アームレバーが回転した後に第一ギアと連動して回転し、前記第一ギアと噛み合う第二ギアが回転した後に第二アームレバーと連動して回転し、前記第二ギアが前記第二アームレバーと固定し、前記第二ギアが回転した後に前記ラックと連動して垂直にスライドし、その後に前記第一ゲートバルブと第三ゲートバルブを閉じて、同時に前記第二ゲートバルブ、第四ゲートバルブを開き、低温スチームが前記第四パイプ、第二ゲートバルブと第一パイプから前記運動筐体に入って、前記第六パイプ、第四ゲートバルブと第八パイプによって排出され、このように前記運動筐体に入る低温スチームの方向を交替に変えて、これにより前記ラックが垂直方向に繰り返してスライドすることを実現し、前記押し移動レバーが上下に繰り返してスライドし、前記押し移動レバーとスイング部品が前記粉砕ブレードを駆動を継続し回転させ、前記ホッパに台所のごみを入れて、前記ギア台が回転した後に台所のごみが断続的に前記貯蔵筐体に落ちて、前記ドライヤーが流動気流を発生し、前記貯蔵筐体の中の台所のごみが前記第十三パイプを沿って前記混合桶に入って、前記第六ゲートバルブが開き、消毒液が前記第十五パイプ、第六ゲートバルブと第九パイプから前記混合桶に入って、前記混合桶に初歩の混合を行って前記第十六パイプを沿って前記粉砕筐体に落ちて、前記粉砕ブレードが前記粉砕筐体の中の混合ごみを十分に粉砕し、粉砕が完了した後、上記の動作部品を停止し上記の全てのゲートバルブを閉じて、前記第五ゲートバルブを開き、前記粉砕筐体の混合ごみが前記第九パイプ、第五ゲートバルブと第十パイプから流れ出る。カム式構造を使ってごみを粉砕し、同時に間欠送り方式を使って送り速度を制御し、有効的に設備の信頼性を高める。
【００１７】
設備が安定に動作する時に、前記ホッパにたえまなく台所のごみを入れて、制御プログラムを使って前記ギア台を制御し回転し、間欠送り機能を実現し、設備の作業効率を高める。
【図面の簡単な説明】
【００１８】
本発明の実施例また既存の技術の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１９】
【図１】図１は本発明の台所ごみ処理機の全体構造概略図である。
【図２】図２は図１のA-A方向の概略図である。
【図３】図３は図１の分布拡大構造概略図である。
【発明を実施するための形態】
【００２０】
本明細書に開示した全ての特徴、或いは開示した全ての方法、過程中のステップは、互いに排斥する特徴或いはステップ以外に、いかなる方式で組み合わせることができる。
【００２１】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００２２】
図1〜3が示すように、本発明の台所ごみ処理機は台座100を含み、前記台座100に運動筐体101が設置され、前記運動筐体101の下に前記台座100に位置する第一伝送筐体150が設置され、前記第一伝送筐体150の左側に前記台座100に位置する第二伝送筐体152が設置され、前記第二伝送筐体152の左側に前記台座100に位置する第三伝送筐体103が設置され、前記第三伝送筐体103の下端壁に収縮筒158が設置され、前記運動筐体101の上端壁に左右対称に上に外部へ延びる第一パイプ184と第二パイプ138が設置され、前記第二パイプ138の上端面に第一ゲートバルブ140が設置され、前記第一パイプ184の上端面に第二ゲートバルブ182が設置され、前記第一ゲートバルブ140の上端面に第三パイプ139が設置され、前記第二ゲートバルブ182の上端面に第四パイプ183が設置され、前記運動筐体101の下端壁に右の外部に延びる第五パイプ137が連結するように設置され、前記運動筐体101の下端壁に左の外部に延びる第六パイプ190が連結するように設置され、前記第五パイプ137の右端面に第三ゲートバルブ136が連結するように設置され、前記第六パイプ190の左端面に第四ゲートバルブ185が連結するように設置され、前記第三ゲートバルブ136の右端面に第七パイプ135が連結するように設置され、前記第四ゲートバルブ185の左端面に第八パイプ180が連結するように設置され、前記運動筐体101の上下端壁の間には下へ伸びて前記第一伝送筐体150に挿入する転向軸141が回転できるように設置され、前記転向軸141の外表面に前記運動筐体101に位置するボックス扇142が固定的に設置され、前記転向軸141の下端面に第一円錐形プーリー102が固定的に設置され、前記第一円錐形プーリー102の左側に第二円錐形プーリー143が噛み合って設置され、前記第二円錐形プーリー143の左端面に第一アームレバー144が固定的に設置され、前記第一アームレバー144が回転し前記第一伝送筐体150の左端面を通り抜けて前記第二伝送筐体152に推進し、前記第一アームレバー144の左端面に前記第二伝送筐体152に位置する第一ギア145が固定的に設置され、前記第一ギア145の下に第二ギア146が噛み合って設置され、前記第二ギア146に左に前記第三伝送筐体103に推進する第二アームレバー153が固定的に設置され、前記第二アームレバー153が前記第二伝送筐体152の左端壁と回転可能なように係合し接続し、前記第二アームレバー153の左端面に第三ギアが固定的に設置され、前記第三伝送筐体103の下端壁に移動制限ブロック160が固定的に設置され、前記移動制限ブロック160に上下に通り抜ける滑り移動筐体200が固定的に設置され、前記滑り移動筐体200の後端壁の外表面に上下に延びる滑り移動レール106が固定的に設置され、前記滑り移動レール106の前端面に上下に延びるラック104がスライド可能なように設置され、前記ラック104と前記第二ギア105と噛み合い、前記ラック104が前記収縮筒158に推進し前記収縮筒158の後端壁とスライド可能に係合し接続し、前記ラック104の下端面に前記収縮筒158とスライド可能に係合し接続する収縮板107が固定的に設置され、前記収縮板107の下端面に押し移動レバー108が固定的に設置され、前記押し移動レバー108がスライドし前記収縮筒158の下端壁を通り抜けて粉砕筐体118に推進し、前記押し移動レバー108の下端に第三アームレバー109が固定的に設置され、前記第三アームレバー109の外表面にスイング部品110が回転可能なように設置され、前記スイング部品110の下端に第四アームレバー119が固定的に設置され、前記第四アームレバー119の外表面に粉砕ブレード112が回転可能なように設置され、前記粉砕筐体118の前後端壁に第四アームレバー119が固定的に設置され、前記第四アームレバー119が前記粉砕ブレード112と回転可能なように係合し接続し、前記粉砕筐体118の左端壁に左の外部に延びる第九パイプ117が連結するように設置され、前記第九パイプ117の左端面に第五ゲートバルブ116が連結するように設置され、前記第五ゲートバルブ116の左端面に第十パイプ115が連結するように設置され、前記台座100の右側に外部に位置するゴミ箱127が設置され、前記ゴミ箱127に円形回転キャビティ133が固定的に設置され、前記円形回転キャビティ133にギア台132が固定的に設置され、前記ギア台132と前記円形回転キャビティ133が回転可能なように係合し接続し、前記円形回転キャビティ133の上端壁にホッパ134が連結するように設置され、前記円形回転キャビティ133の下端壁に第十一パイプ131が連結するように設置され、前記第十一パイプ131の下端壁に貯蔵筐体126が連結するように設置され、前記貯蔵筐体126の右端壁に外部に延びる第十二パイプ130が連結するように設置され、前記ゴミ箱127の右端面に前記第十二パイプ130と連結するドライヤー128が固定的に設置され、前記貯蔵筐体126の左端壁に左に前記粉砕筐体118に延びる第十三パイプ125が連結するように設置され、前記第十三パイプ125の下端面に前記粉砕筐体118に位置する混合桶121が連結するように設置され、前記混合桶121の右端面に前記台座100を通り抜けて外部に伸びる第十四パイプが連結するように設置され、前記第九パイプ122の右端面に第六ゲートバルブ123が連結するように設置され、前記第六ゲートバルブ123の右端面に第十五パイプ124が連結するように設置され、前記混合桶121の下端面に第十六パイプ120が連結するように設置され、前記台座100の頂端にライトコントローラ装置が設置される。
【００２３】
好ましくは、前記粉砕ブレード112が前記粉砕筐体118に自由に揺れ動き、これにより装置の粉砕効果を高める。
【００２４】
好ましくは、前記第十三パイプ125と前記第九パイプ122が連結し、これにより設備の安定性を高める。
【００２５】
好ましくは、前記転向軸141が前記運動筐体101と接触する部位にゴム輪が回転可能なように設置され、設備の密閉性を高める。
【００２６】
好ましくは、前記粉砕ブレード112がカム式構造であり、粉砕効果を高める。
【００２７】
好ましくは、前記ライトコントローラ装置は前記台座100の頂部端面右側位置に固定的に取り付けられる灯柱171を含み、前記灯柱171の頂端にLEDライト172が設置され、これにより照明作用を提供する。
【００２８】
本発明に係る設備は初期状態にある時、前記第一ゲートバルブ140、第三ゲートバルブ136、第二ゲートバルブ182、第四ゲートバルブ181、第六ゲートバルブ123、第五ゲートバルブ116が閉じる状態にあり、前記収縮板107が前記収縮筒158の中心に位置する。
【００２９】
設備が動作する時に、前記第一ゲートバルブ140と第三ゲートバルブ136を開き、低温スチームが前記第三パイプ139、第一電ゲートバルブ140と第二パイプ138から前記運動筐体101に入って、前記第五パイプ137、第三ゲートバルブ136と第七パイプ139によって排出され、低温スチームが前記ボックス扇142と連動して回転し、前記ボックス扇142と固定する転向軸141が回転した後に前記第一円錐形プーリー102と第二円錐形プーリー143と連動して回転し、前記第二円錐形プーリー143と固定する第一アームレバー144が回転した後に第一ギア145と連動して回転し、前記第一ギア145と噛み合う第二ギア146が回転した後に第二アームレバー153と連動して回転し、前記第二ギア105が前記第二アームレバー153と固定し、前記第二ギア105が回転した後に前記ラック104と連動して垂直にスライドし、その後に前記第一ゲートバルブ140と第三ゲートバルブ136を閉じて、同時に前記第二ゲートバルブ182、第四ゲートバルブ185を開き、低温スチームが前記第四パイプ183、第二ゲートバルブ182と第一パイプ184から前記運動筐体101に入って、前記第六パイプ190、第四ゲートバルブ185と第八パイプ180によって排出され、このように前記運動筐体101に入る低温スチームの方向を交替に変えて、これにより前記ラック104が垂直方向に繰り返してスライドすることを実現し、前記押し移動レバー108が上下に繰り返してスライドし、前記押し移動レバー108とスイング部品110が前記粉砕ブレード112を駆動を継続し回転させ、前記ホッパ134に台所のごみを入れて、前記ギア台132が回転した後に台所のごみが断続的に前記貯蔵筐体126に落ちて、前記ドライヤー128が流動気流を発生し、前記貯蔵筐体126の中の台所のごみが前記第十三パイプ125を沿って前記混合桶121に入って、前記第六ゲートバルブ123が開き、消毒液が前記第十五パイプ124、第六ゲートバルブ123と第九パイプ122から前記混合桶121に入って、前記混合桶121に初歩の混合を行って前記第十六パイプ120を沿って前記粉砕筐体118に落ちて、前記粉砕ブレード112が前記粉砕筐体118の中の混合ごみを十分に粉砕し、粉砕が完了した後、上記の動作部品を停止し上記の全てのゲートバルブを閉じて、前記第五ゲートバルブ116を開き、前記粉砕筐体118の混合ごみが前記第九パイプ117、第五ゲートバルブ116と第十パイプ115から流れ出る。
【００３０】
設備が安定に動作する時に、前記ホッパ134にたえまなく台所のごみを入れて、制御プログラムを使って前記ギア台132を制御し回転し、間欠送り機能を実現する。
【００３１】
本発明の有益な効果は、本発明に係る設備は初期状態にある時、前記第一ゲートバルブ、第三ゲートバルブ、第二ゲートバルブ、第四ゲートバルブ、第六ゲートバルブ、第五ゲートバルブが閉じる状態にあり、前記収縮板が前記収縮筒の中心に位置する。これにより設備の取付と修理維持に有利である。
【００３２】
設備が動作する時に、前記第一ゲートバルブと第三ゲートバルブを開き、低温スチームが前記第三パイプ、第一電ゲートバルブと第二パイプから前記運動筐体に入って、前記第五パイプ、第三ゲートバルブと第七パイプによって排出され、低温スチームが前記ボックス扇と連動して回転し、前記ボックス扇と固定する転向軸が回転した後に前記第一円錐形プーリーと第二円錐形プーリーと連動して回転し、前記第二円錐形プーリーと固定する第一アームレバーが回転した後に第一ギアと連動して回転し、前記第一ギアと噛み合う第二ギアが回転した後に第二アームレバーと連動して回転し、前記第二ギアが前記第二アームレバーと固定し、前記第二ギアが回転した後に前記ラックと連動して垂直にスライドし、その後に前記第一ゲートバルブと第三ゲートバルブを閉じて、同時に前記第二ゲートバルブ、第四ゲートバルブを開き、低温スチームが前記第四パイプ、第二ゲートバルブと第一パイプから前記運動筐体に入って、前記第六パイプ、第四ゲートバルブと第八パイプによって排出され、このように前記運動筐体に入る低温スチームの方向を交替に変えて、これにより前記ラックが垂直方向に繰り返してスライドすることを実現し、前記押し移動レバーが上下に繰り返してスライドし、前記押し移動レバーとスイング部品が前記粉砕ブレードを駆動を継続し回転させ、前記ホッパに台所のごみを入れて、前記ギア台が回転した後に台所のごみが断続的に前記貯蔵筐体に落ちて、前記ドライヤーが流動気流を発生し、前記貯蔵筐体の中の台所のごみが前記第十三パイプを沿って前記混合桶に入って、前記第六ゲートバルブが開き、消毒液が前記第十五パイプ、第六ゲートバルブと第九パイプから前記混合桶に入って、前記混合桶に初歩の混合を行って前記第十六パイプを沿って前記粉砕筐体に落ちて、前記粉砕ブレードが前記粉砕筐体の中の混合ごみを十分に粉砕し、粉砕が完了した後、上記の動作部品を停止し上記の全てのゲートバルブを閉じて、前記第五ゲートバルブを開き、前記粉砕筐体の混合ごみが前記第九パイプ、第五ゲートバルブと第十パイプから流れ出る。カム式構造を使ってごみを粉砕し、同時に間欠送り方式を使って送り速度を制御し、有効的に設備の信頼性を高める。
【００３３】
設備が安定に動作する時に、前記ホッパにたえまなく台所のごみを入れて、制御プログラムを使って前記ギア台を制御し回転し、間欠送り機能を実現し、設備の作業効率を高める。
【００３４】
本発明は構造が簡単で、使用が便利で、この設備が低温スチームを使ってカム構造を駆動しごみを粉砕し、有効的に仕事効率を高める。
【００３５】
以上に述べたのはただ本発明のより良い実施例で、本発明を限定することに使わないである。本発明の意義と原則のもとで行う全ての修正、同等の入れ替えと改善などは本発明の保護範囲に含まれる。したがって、発明の保護範囲は特許請求の範囲が画定する保護範囲を基準とすべきである。
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
台所ごみ処理機であって、台座を含み、前記台座に運動筐体が設置され、前記運動筐体の下に前記台座に位置する第一伝送筐体が設置され、前記第一伝送筐体の左側に前記台座に位置する第二伝送筐体が設置され、前記第二伝送筐体の左側に前記台座に位置する第三伝送筐体が設置され、前記第三伝送筐体の下端壁に収縮筒が設置され、前記運動筐体の上端壁に左右対称に上に外部へ延びる第一パイプと第二パイプが設置され、前記第二パイプの上端面に第一ゲートバルブが設置され、前記第一パイプの上端面に第二ゲートバルブが設置され、前記第一ゲートバルブの上端面に第三パイプが設置され、前記第二ゲートバルブの上端面に第四パイプが設置され、前記運動筐体の下端壁に右の外部に延びる第五パイプが連結するように設置され、前記運動筐体の下端壁に左の外部に延びる第六パイプが連結するように設置され、前記第五パイプの右端面に第三ゲートバルブが連結するように設置され、前記第六パイプの左端面に第四ゲートバルブが連結するように設置され、前記第三ゲートバルブの右端面に第七パイプが連結するように設置され、前記第四ゲートバルブの左端面に第八パイプが連結するように設置され、前記運動筐体の上下端壁の間には下へ伸びて前記第一伝送筐体に挿入する転向軸が回転できるように設置され、前記転向軸の外表面に前記運動筐体に位置するボックス扇が固定的に設置され、前記転向軸の下端面に第一円錐形プーリーが固定的に設置され、前記第一円錐形プーリーの左側に第二円錐形プーリーが噛み合って設置され、前記第二円錐形プーリーの左端面に第一アームレバーが固定的に設置され、前記第一アームレバーが回転し前記第一伝送筐体の左端面を通り抜けて前記第二伝送筐体に推進し、前記第一アームレバーの左端面に前記第二伝送筐体に位置する第一ギアが固定的に設置され、前記第一ギアの下に第二ギアが噛み合って設置され、前記第二ギアに左に前記第三伝送筐体に推進する第二アームレバーが固定的に設置され、前記第二アームレバーが前記第二伝送筐体の左端壁と回転可能なように係合し接続し、前記第二アームレバーの左端面に第三ギアが固定的に設置され、前記第三伝送筐体の下端壁に移動制限ブロックが固定的に設置され、前記移動制限ブロックに上下に通り抜ける滑り移動筐体が固定的に設置され、前記滑り移動筐体の後端壁の外表面に上下に延びる滑り移動レールが固定的に設置され、前記滑り移動レールの前端面に上下に延びるラックがスライド可能なように設置され、前記ラックと前記第二ギアと噛み合い、前記ラックが前記収縮筒に推進し前記収縮筒の後端壁とスライド可能に係合し接続し、前記ラックの下端面に前記収縮筒とスライド可能に係合し接続する収縮板が固定的に設置され、前記収縮板の下端面に押し移動レバーが固定的に設置され、前記押し移動レバーがスライドし前記収縮筒の下端壁を通り抜けて粉砕筐体に推進し、前記押し移動レバーの下端に第三アームレバーが固定的に設置され、前記第三アームレバーの外表面に置物がスイング可能なように設置され、前記置物の下端に第四アームレバーが固定的に設置され、前記第四アームレバーの外表面に粉砕ブレードが回転可能なように設置され、前記粉砕筐体の前後端壁に第四アームレバーが固定的に設置され、前記第四アームレバーが前記粉砕ブレードと回転可能なように係合し接続し、前記粉砕筐体の左端壁に左の外部に延びる第九パイプが連結するように設置され、前記第九パイプの左端面に第五ゲートバルブが連結するように設置され、前記第五ゲートバルブの左端面に第十パイプが連結するように設置され、前記台座の右側に外部に位置するゴミ箱が設置され、前記ゴミ箱に円形回転キャビティが固定的に設置され、前記円形回転キャビティにギア台が固定的に設置され、前記ギア台と前記円形回転キャビティが回転可能なように係合し接続し、前記円形回転キャビティの上端壁にホッパが連結するように設置され、前記円形回転キャビティの下端壁に第十一パイプが連結するように設置され、前記第十一パイプの下端壁に貯蔵筐体が連結するように設置され、前記貯蔵筐体の右端壁に外部に延びる第十二パイプが連結するように設置され、前記ゴミ箱の右端面に前記第十二パイプと連結するドライヤーが固定的に設置され、前記貯蔵筐体の左端壁に左に前記粉砕筐体に延びる第十三パイプが連結するように設置され、前記第十三パイプの下端面に前記粉砕筐体に位置する混合桶が連結するように設置され、前記混合桶の右端面に前記台座を通り抜けて外部に伸びる第十四パイプが連結するように設置され、前記第九パイプの右端面に第六ゲートバルブが連結するように設置され、前記第六ゲートバルブの右端面に第十五パイプが連結するように設置され、前記混合桶の下端面に第十六パイプが連結するように設置され、前記台座の頂端にライトコントローラ装置が設置され、前記粉砕ブレードが前記粉砕筐体に自由に揺れ動き、前記第十三パイプと前記第九パイプが連結し、前記転向軸が前記運動筐体と接触する部位にゴム輪が回転可能なように設置され、前記粉砕ブレードがカム式構造であり、前記ライトコントローラ装置は前記台座の頂部端面右側位置に固定的に取り付けられる灯柱を含み、前記灯柱の頂端にLEDライトが設置されることを特徴とする台所ごみ処理機。
【手続補正２】
【補正対象書類名】明細書
【補正対象項目名】全文
【補正方法】変更
【補正の内容】
【発明の詳細な説明】
【技術分野】
【０００１】
本発明は家庭用設備分野に関し、具体的には台所ごみ処理機に関する。
【背景技術】
【０００２】
台所ごみ処理設備は家庭の台所のタンクの排水口に取り付けて、便利に残渣、残り料理などの生ごみを細かい粒に粉砕し流れに沿ってパイプより排出し、現在の台所ごみ処理設備が取り付けにくく、保守に不便で、電気しか駆動できなく、停電する時に使用できない。
【先行技術文献】
【特許文献】
【０００３】
【特許文献１】中国特許出願公開第105058285号明細書
【発明の概要】
【発明が解決しようとする課題】
【０００４】
本発明は解決する必要な技術問題に対して台所ごみ処理機を提供し、それは現在の技術問題を解決できる。
【課題を解決するための手段】
【０００５】
本発明の台所ごみ処理機は台座を含み、前記台座に運動筐体が設置され、前記運動筐体の下に前記台座に位置する第一伝送筐体が設置され、前記第一伝送筐体の左側に前記台座に位置する第二伝送筐体が設置され、前記第二伝送筐体の左側に前記台座に位置する第三伝送筐体が設置され、前記第三伝送筐体の下端壁に収縮筒が設置され、前記運動筐体の上端壁に左右対称に上に外部へ延びる第一パイプと第二パイプが設置され、前記第二パイプの上端面に第一ゲートバルブが設置され、前記第一パイプの上端面に第二ゲートバルブが設置され、前記第一ゲートバルブの上端面に第三パイプが設置され、前記第二ゲートバルブの上端面に第四パイプが設置され、前記運動筐体の下端壁に右の外部に延びる第五パイプが連結するように設置され、前記運動筐体の下端壁に左の外部に延びる第六パイプが連結するように設置され、前記第五パイプの右端面に第三ゲートバルブが連結するように設置され、前記第六パイプの左端面に第四ゲートバルブが連結するように設置され、前記第三ゲートバルブの右端面に第七パイプが連結するように設置され、前記第四ゲートバルブの左端面に第八パイプが連結するように設置され、前記運動筐体の上下端壁の間には下へ伸びて前記第一伝送筐体に挿入する転向軸が回転できるように設置され、前記転向軸の外表面に前記運動筐体に位置するボックス扇が固定的に設置され、前記転向軸の下端面に第一円錐形プーリーが固定的に設置され、前記第一円錐形プーリーの左側に第二円錐形プーリーが噛み合って設置され、前記第二円錐形プーリーの左端面に第一アームレバーが固定的に設置され、前記第一アームレバーが回転し前記第一伝送筐体の左端面を通り抜けて前記第二伝送筐体に推進し、前記第一アームレバーの左端面に前記第二伝送筐体に位置する第一ギアが固定的に設置され、前記第一ギアの下に第二ギアが噛み合って設置され、前記第二ギアに左に前記第三伝送筐体に推進する第二アームレバーが固定的に設置され、前記第二アームレバーが前記第二伝送筐体の左端壁と回転可能なように係合し接続し、前記第二アームレバーの左端面に第三ギアが固定的に設置され、前記第三伝送筐体の下端壁に移動制限ブロックが固定的に設置され、前記移動制限ブロックに上下に通り抜ける滑り移動筐体が固定的に設置され、前記滑り移動筐体の後端壁の外表面に上下に延びる滑り移動レールが固定的に設置され、前記滑り移動レールの前端面に上下に延びるラックがスライド可能なように設置され、前記ラックと前記第二ギアと噛み合い、前記ラックが前記収縮筒に推進し前記収縮筒の後端壁とスライド可能に係合し接続し、前記ラックの下端面に前記収縮筒とスライド可能に係合し接続する収縮板が固定的に設置され、前記収縮板の下端面に押し移動レバーが固定的に設置され、前記押し移動レバーがスライドし前記収縮筒の下端壁を通り抜けて粉砕筐体に推進し、前記押し移動レバーの下端に第三アームレバーが固定的に設置され、前記第三アームレバーの外表面に置物がスイング可能なように設置され、前記置物の下端に第四アームレバーが固定的に設置され、前記第四アームレバーの外表面に粉砕ブレードが回転可能なように設置され、前記粉砕筐体の前後端壁に第四アームレバーが固定的に設置され、前記第四アームレバーが前記粉砕ブレードと回転可能なように係合し接続し、前記粉砕筐体の左端壁に左の外部に延びる第九パイプが連結するように設置され、前記第九パイプの左端面に第五ゲートバルブが連結するように設置され、前記第五ゲートバルブの左端面に第十パイプが連結するように設置され、前記台座の右側に外部に位置するゴミ箱が設置され、前記ゴミ箱に円形回転キャビティが固定的に設置され、前記円形回転キャビティにギア台が固定的に設置され、前記ギア台と前記円形回転キャビティが回転可能なように係合し接続し、前記円形回転キャビティの上端壁にホッパが連結するように設置され、前記円形回転キャビティの下端壁に第十一パイプが連結するように設置され、前記第十一パイプの下端壁に貯蔵筐体が連結するように設置され、前記貯蔵筐体の右端壁に外部に延びる第十二パイプが連結するように設置され、前記ゴミ箱の右端面に前記第十二パイプと連結するドライヤーが固定的に設置され、前記貯蔵筐体の左端壁に左に前記粉砕筐体に延びる第十三パイプが連結するように設置され、前記第十三パイプの下端面に前記粉砕筐体に位置する混合桶が連結するように設置され、前記混合桶の右端面に前記台座を通り抜けて外部に伸びる第十四パイプが連結するように設置され、前記第九パイプの右端面に第六ゲートバルブが連結するように設置され、前記第六ゲートバルブの右端面に第十五パイプが連結するように設置され、前記混合桶の下端面に第十六パイプが連結するように設置され、前記台座100の頂端にライトコントローラ装置が設置される。
【０００６】
他の技術方案として前記粉砕ブレードが前記粉砕筐体に自由に揺れ動く。
【０００７】
他の技術方案として前記第十三パイプと前記第九パイプが連結し、これにより設備の安定性を高める。
【０００８】
他の技術方案として前記転向軸が前記運動筐体と接触する部位にゴム輪が回転可能なように設置され、設備の密閉性を高める。
【０００９】
他の技術方案として前記粉砕ブレードがカム式構造であり、粉砕効果を高める。
【００１０】
他の技術方案として前記ライトコントローラ装置は前記台座の頂部端面右側位置に固定的に取り付けられる灯柱を含み、前記灯柱の頂端にLEDライトが設置される。
【００１１】
本発明の有益な効果は、本発明に係る設備は初期状態にある時、前記第一ゲートバルブ、第三ゲートバルブ、第二ゲートバルブ、第四ゲートバルブ、第六ゲートバルブ、第五ゲートバルブが閉じる状態にあり、前記収縮板が前記収縮筒の中心に位置する。これにより設備の取付と修理維持に有利である。
【００１２】
設備が動作する時に、前記第一ゲートバルブと第三ゲートバルブを開き、低温スチームが前記第三パイプ、第一電ゲートバルブと第二パイプから前記運動筐体に入って、前記第五パイプ、第三ゲートバルブと第七パイプによって排出され、低温スチームが前記ボックス扇と連動して回転し、前記ボックス扇と固定する転向軸が回転した後に前記第一円錐形プーリーと第二円錐形プーリーと連動して回転し、前記第二円錐形プーリーと固定する第一アームレバーが回転した後に第一ギアと連動して回転し、前記第一ギアと噛み合う第二ギアが回転した後に第二アームレバーと連動して回転し、前記第二ギアが前記第二アームレバーと固定し、前記第二ギアが回転した後に前記ラックと連動して垂直にスライドし、その後に前記第一ゲートバルブと第三ゲートバルブを閉じて、同時に前記第二ゲートバルブ、第四ゲートバルブを開き、低温スチームが前記第四パイプ、第二ゲートバルブと第一パイプから前記運動筐体に入って、前記第六パイプ、第四ゲートバルブと第八パイプによって排出され、このように前記運動筐体に入る低温スチームの方向を交替に変えて、これにより前記ラックが垂直方向に繰り返してスライドすることを実現し、前記押し移動レバーが上下に繰り返してスライドし、前記押し移動レバーと置物が前記粉砕ブレードを駆動を継続し回転させ、前記ホッパに台所のごみを入れて、前記ギア台が回転した後に台所のごみが断続的に前記貯蔵筐体に落ちて、前記ドライヤーが流動気流を発生し、前記貯蔵筐体の中の台所のごみが前記第十三パイプを沿って前記混合桶に入って、前記第六ゲートバルブが開き、消毒液が前記第十五パイプ、第六ゲートバルブと第九パイプから前記混合桶に入って、前記混合桶に初歩の混合を行って前記第十六パイプを沿って前記粉砕筐体に落ちて、前記粉砕ブレードが前記粉砕筐体の中の混合ごみを十分に粉砕し、粉砕が完了した後、上記の動作部品を停止し上記の全てのゲートバルブを閉じて、前記第五ゲートバルブを開き、前記粉砕筐体の混合ごみが前記第九パイプ、第五ゲートバルブと第十パイプから流れ出る。カム式構造を使ってごみを粉砕し、同時に間欠送り方式を使って送り速度を制御し、有効的に設備の信頼性を高める。
【００１３】
設備が安定に動作する時に、前記ホッパにたえまなく台所のごみを入れて、制御プログラムを使って前記ギア台を制御し回転し、間欠送り機能を実現し、設備の作業効率を高める。
【００１４】
以上に述べたのはただ本発明の具体的な実施方式で、しかし本発明の保護範囲はここに限らないである。全部の創造的な労働を通じなく思いついた変化と取替は本発明の保護範囲にカバーされる。それゆえ本発明の保護範囲は特許請求の範囲が限定する保護範囲を基準とする。
【発明の効果】
【００１５】
本発明の有益な効果は、本発明に係る設備は初期状態にある時、前記第一ゲートバルブ、第三ゲートバルブ、第二ゲートバルブ、第四ゲートバルブ、第六ゲートバルブ、第五ゲートバルブが閉じる状態にあり、前記収縮板が前記収縮筒の中心に位置する。これにより設備の取付と修理維持に有利である。
【００１６】
設備が動作する時に、前記第一ゲートバルブと第三ゲートバルブを開き、低温スチームが前記第三パイプ、第一電ゲートバルブと第二パイプから前記運動筐体に入って、前記第五パイプ、第三ゲートバルブと第七パイプによって排出され、低温スチームが前記ボックス扇と連動して回転し、前記ボックス扇と固定する転向軸が回転した後に前記第一円錐形プーリーと第二円錐形プーリーと連動して回転し、前記第二円錐形プーリーと固定する第一アームレバーが回転した後に第一ギアと連動して回転し、前記第一ギアと噛み合う第二ギアが回転した後に第二アームレバーと連動して回転し、前記第二ギアが前記第二アームレバーと固定し、前記第二ギアが回転した後に前記ラックと連動して垂直にスライドし、その後に前記第一ゲートバルブと第三ゲートバルブを閉じて、同時に前記第二ゲートバルブ、第四ゲートバルブを開き、低温スチームが前記第四パイプ、第二ゲートバルブと第一パイプから前記運動筐体に入って、前記第六パイプ、第四ゲートバルブと第八パイプによって排出され、このように前記運動筐体に入る低温スチームの方向を交替に変えて、これにより前記ラックが垂直方向に繰り返してスライドすることを実現し、前記押し移動レバーが上下に繰り返してスライドし、前記押し移動レバーと置物が前記粉砕ブレードを駆動を継続し回転させ、前記ホッパに台所のごみを入れて、前記ギア台が回転した後に台所のごみが断続的に前記貯蔵筐体に落ちて、前記ドライヤーが流動気流を発生し、前記貯蔵筐体の中の台所のごみが前記第十三パイプを沿って前記混合桶に入って、前記第六ゲートバルブが開き、消毒液が前記第十五パイプ、第六ゲートバルブと第九パイプから前記混合桶に入って、前記混合桶に初歩の混合を行って前記第十六パイプを沿って前記粉砕筐体に落ちて、前記粉砕ブレードが前記粉砕筐体の中の混合ごみを十分に粉砕し、粉砕が完了した後、上記の動作部品を停止し上記の全てのゲートバルブを閉じて、前記第五ゲートバルブを開き、前記粉砕筐体の混合ごみが前記第九パイプ、第五ゲートバルブと第十パイプから流れ出る。カム式構造を使ってごみを粉砕し、同時に間欠送り方式を使って送り速度を制御し、有効的に設備の信頼性を高める。
【００１７】
設備が安定に動作する時に、前記ホッパにたえまなく台所のごみを入れて、制御プログラムを使って前記ギア台を制御し回転し、間欠送り機能を実現し、設備の作業効率を高める。
【図面の簡単な説明】
【００１８】
本発明の実施例また既存の技術の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１９】
【図１】図１は本発明の台所ごみ処理機の全体構造概略図である。
【図２】図２は図１のA-A方向の概略図である。
【図３】図３は図１の分布拡大構造概略図である。
【発明を実施するための形態】
【００２０】
本明細書に開示した全ての特徴、或いは開示した全ての方法、過程中のステップは、互いに排斥する特徴或いはステップ以外に、いかなる方式で組み合わせることができる。
【００２１】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００２２】
図1〜3が示すように、本発明の台所ごみ処理機は台座100を含み、前記台座100に運動筐体101が設置され、前記運動筐体101の下に前記台座100に位置する第一伝送筐体150が設置され、前記第一伝送筐体150の左側に前記台座100に位置する第二伝送筐体152が設置され、前記第二伝送筐体152の左側に前記台座100に位置する第三伝送筐体103が設置され、前記第三伝送筐体103の下端壁に収縮筒158が設置され、前記運動筐体101の上端壁に左右対称に上に外部へ延びる第一パイプ184と第二パイプ138が設置され、前記第二パイプ138の上端面に第一ゲートバルブ140が設置され、前記第一パイプ184の上端面に第二ゲートバルブ182が設置され、前記第一ゲートバルブ140の上端面に第三パイプ139が設置され、前記第二ゲートバルブ182の上端面に第四パイプ183が設置され、前記運動筐体101の下端壁に右の外部に延びる第五パイプ137が連結するように設置され、前記運動筐体101の下端壁に左の外部に延びる第六パイプ190が連結するように設置され、前記第五パイプ137の右端面に第三ゲートバルブ136が連結するように設置され、前記第六パイプ190の左端面に第四ゲートバルブ185が連結するように設置され、前記第三ゲートバルブ136の右端面に第七パイプ135が連結するように設置され、前記第四ゲートバルブ185の左端面に第八パイプ180が連結するように設置され、前記運動筐体101の上下端壁の間には下へ伸びて前記第一伝送筐体150に挿入する転向軸141が回転できるように設置され、前記転向軸141の外表面に前記運動筐体101に位置するボックス扇142が固定的に設置され、前記転向軸141の下端面に第一円錐形プーリー102が固定的に設置され、前記第一円錐形プーリー102の左側に第二円錐形プーリー143が噛み合って設置され、前記第二円錐形プーリー143の左端面に第一アームレバー144が固定的に設置され、前記第一アームレバー144が回転し前記第一伝送筐体150の左端面を通り抜けて前記第二伝送筐体152に推進し、前記第一アームレバー144の左端面に前記第二伝送筐体152に位置する第一ギア145が固定的に設置され、前記第一ギア145の下に第二ギア146が噛み合って設置され、前記第二ギア146に左に前記第三伝送筐体103に推進する第二アームレバー153が固定的に設置され、前記第二アームレバー153が前記第二伝送筐体152の左端壁と回転可能なように係合し接続し、前記第二アームレバー153の左端面に第三ギアが固定的に設置され、前記第三伝送筐体103の下端壁に移動制限ブロック160が固定的に設置され、前記移動制限ブロック160に上下に通り抜ける滑り移動筐体200が固定的に設置され、前記滑り移動筐体200の後端壁の外表面に上下に延びる滑り移動レール106が固定的に設置され、前記滑り移動レール106の前端面に上下に延びるラック104がスライド可能なように設置され、前記ラック104と前記第二ギア105と噛み合い、前記ラック104が前記収縮筒158に推進し前記収縮筒158の後端壁とスライド可能に係合し接続し、前記ラック104の下端面に前記収縮筒158とスライド可能に係合し接続する収縮板107が固定的に設置され、前記収縮板107の下端面に押し移動レバー108が固定的に設置され、前記押し移動レバー108がスライドし前記収縮筒158の下端壁を通り抜けて粉砕筐体118に推進し、前記押し移動レバー108の下端に第三アームレバー109が固定的に設置され、前記第三アームレバー109の外表面に置物110がスイ���グ可能なように設置され、前記置物110の下端に第四アームレバー119が固定的に設置され、前記第四アームレバー119の外表面に粉砕ブレード112が回転可能なように設置され、前記粉砕筐体118の前後端壁に第四アームレバー119が固定的に設置され、前記第四アームレバー119が前記粉砕ブレード112と回転可能なように係合し接続し、前記粉砕筐体118の左端壁に左の外部に延びる第九パイプ117が連結するように設置され、前記第九パイプ117の左端面に第五ゲートバルブ116が連結するように設置され、前記第五ゲートバルブ116の左端面に第十パイプ115が連結するように設置され、前記台座100の右側に外部に位置するゴミ箱127が設置され、前記ゴミ箱127に円形回転キャビティ133が固定的に設置され、前記円形回転キャビティ133にギア台132が固定的に設置され、前記ギア台132と前記円形回転キャビティ133が回転可能なように係合し接続し、前記円形回転キャビティ133の上端壁にホッパ134が連結するように設置され、前記円形回転キャビティ133の下端壁に第十一パイプ131が連結するように設置され、前記第十一パイプ131の下端壁に貯蔵筐体126が連結するように設置され、前記貯蔵筐体126の右端壁に外部に延びる第十二パイプ130が連結するように設置され、前記ゴミ箱127の右端面に前記第十二パイプ130と連結するドライヤー128が固定的に設置され、前記貯蔵筐体126の左端壁に左に前記粉砕筐体118に延びる第十三パイプ125が連結するように設置され、前記第十三パイプ125の下端面に前記粉砕筐体118に位置する混合桶121が連結するように設置され、前記混合桶121の右端面に前記台座100を通り抜けて外部に伸びる第十四パイプが連結するように設置され、前記第九パイプ122の右端面に第六ゲートバルブ123が連結するように設置され、前記第六ゲートバルブ123の右端面に第十五パイプ124が連結するように設置され、前記混合桶121の下端面に第十六パイプ120が連結するように設置され、前記台座100の頂端にライトコントローラ装置が設置される。
【００２３】
好ましくは、前記粉砕ブレード112が前記粉砕筐体118に自由に揺れ動き、これにより装置の粉砕効果を高める。
【００２４】
好ましくは、前記第十三パイプ125と前記第九パイプ122が連結し、これにより設備の安定性を高める。
【００２５】
好ましくは、前記転向軸141が前記運動筐体101と接触する部位にゴム輪が回転可能なように設置され、設備の密閉性を高める。
【００２６】
好ましくは、前記粉砕ブレード112がカム式構造であり、粉砕効果を高める。
【００２７】
好ましくは、前記ライトコントローラ装置は前記台座100の頂部端面右側位置に固定的に取り付けられる灯柱171を含み、前記灯柱171の頂端にLEDライト172が設置され、これにより照明作用を提供する。
【００２８】
本発明に係る設備は初期状態にある時、前記第一ゲートバルブ140、第三ゲートバルブ136、第二ゲートバルブ182、第四ゲートバルブ181、第六ゲートバルブ123、第五ゲートバルブ116が閉じる状態にあり、前記収縮板107が前記収縮筒158の中心に位置する。
【００２９】
設備が動作する時に、前記第一ゲートバルブ140と第三ゲートバルブ136を開き、低温スチームが前記第三パイプ139、第一電ゲートバルブ140と第二パイプ138から前記運動筐体101に入って、前記第五パイプ137、第三ゲートバルブ136と第七パイプ139によって排出され、低温スチームが前記ボックス扇142と連動して回転し、前記ボックス扇142と固定する転向軸141が回転した後に前記第一円錐形プーリー102と第二円錐形プーリー143と連動して回転し、前記第二円錐形プーリー143と固定する第一アームレバー144が回転した後に第一ギア145と連動して回転し、前記第一ギア145と噛み合う第二ギア146が回転した後に第二アームレバー153と連動して回転し、前記第二ギア105が前記第二アームレバー153と固定し、前記第二ギア105が回転した後に前記ラック104と連動して垂直にスライドし、その後に前記第一ゲートバルブ140と第三ゲートバルブ136を閉じて、同時に前記第二ゲートバルブ182、第四ゲートバルブ185を開き、低温スチームが前記第四パイプ183、第二ゲートバルブ182と第一パイプ184から前記運動筐体101に入って、前記第六パイプ190、第四ゲートバルブ185と第八パイプ180によって排出され、このように前記運動筐体101に入る低温スチームの方向を交替に変えて、これにより前記ラック104が垂直方向に繰り返してスライドすることを実現し、前記押し移動レバー108が上下に繰り返してスライドし、前記押し移動レバー108と置物110が前記粉砕ブレード112を駆動を継続し回転させ、前記ホッパ134に台所のごみを入れて、前記ギア台132が回転した後に台所のごみが断続的に前記貯蔵筐体126に落ちて、前記ドライヤー128が流動気流を発生し、前記貯蔵筐体126の中の台所のごみが前記第十三パイプ125を沿って前記混合桶121に入って、前記第六ゲートバルブ123が開き、消毒液が前記第十五パイプ124、第六ゲートバルブ123と第九パイプ122から前記混合桶121に入って、前記混合桶121に初歩の混合を行って前記第十六パイプ120を沿って前記粉砕筐体118に落ちて、前記粉砕ブレード112が前記粉砕筐体118の中の混合ごみを十分に粉砕し、粉砕が完了した後、上記の動作部品を停止し上記の全てのゲートバルブを閉じて、前記第五ゲートバルブ116を開き、前記粉砕筐体118の混合ごみが前記第九パイプ117、第五ゲートバルブ116と第十パイプ115から流れ出る。
【００３０】
設備が安定に動作する時に、前記ホッパ134にたえまなく台所のごみを入れて、制御プログラムを使って前記ギア台132を制御し回転し、間欠送り機能を実現する。
【００３１】
本発明の有益な効果は、本発明に係る設備は初期状態にある時、前記第一ゲートバルブ、第三ゲートバルブ、第二ゲートバルブ、第四ゲートバルブ、第六ゲートバルブ、第五ゲートバルブが閉じる状態にあり、前記収縮板が前記収縮筒の中心に位置する。これにより設備の取付と修理維持に有利である。
【００３２】
設備が動作する時に、前記第一ゲートバルブと第三ゲートバルブを開き、低温スチームが前記第三パイプ、第一電ゲートバルブと第二パイプから前記運動筐体に入って、前記第五パイプ、第三ゲートバルブと第七パイプによって排出され、低温スチームが前記ボックス扇と連動して回転し、前記ボックス扇と固定する転向軸が回転した後に前記第一円錐形プーリーと第二円錐形プーリーと連動して回転し、前記第二円錐形プーリーと固定する第一アームレバーが回転した後に第一ギアと連動して回転し、前記第一ギアと噛み合う第二ギアが回転した後に第二アームレバーと連動して回転し、前記第二ギアが前記第二アームレバーと固定し、前記第二ギアが回転した後に前記ラックと連動して垂直にスライドし、その後に前記第一ゲートバルブと第三ゲートバルブを閉じて、同時に前記第二ゲートバルブ、第四ゲートバルブを開き、低温スチームが前記第四パイプ、第二ゲートバルブと第一パイプから前記運動筐体に入って、前記第六パイプ、第四ゲートバルブと第八パイプによって排出され、このように前記運動筐体に入る低温スチームの方向を交替に変えて、これにより前記ラックが垂直方向に繰り返してスライドすることを実現し、前記押し移動レバーが上下に繰り返してスライドし、前記押し移動レバーと置物が前記粉砕ブレードを駆動を継続し回転させ、前記ホッパに台所のごみを入れて、前記ギア台が回転した後に台所のごみが断続的に前記貯蔵筐体に落ちて、前記ドライヤーが流動気流を発生し、前記貯蔵筐体の中の台所のごみが前記第十三パイプを沿って前記混合桶に入って、前記第六ゲートバルブが開き、消毒液が前記第十五パイプ、第六ゲートバルブと第九パイプから前記混合桶に入って、前記混合桶に初歩の混合を行って前記第十六パイプを沿って前記粉砕筐体に落ちて、前記粉砕ブレードが前記粉砕筐体の中の混合ごみを十分に粉砕し、粉砕が完了した後、上記の動作部品を停止し上記の全てのゲートバルブを閉じて、前記第五ゲートバルブを開き、前記粉砕筐体の混合ごみが前記第九パイプ、第五ゲートバルブと第十パイプから流れ出る。カム式構造を使ってごみを粉砕し、同時に間欠送り方式を使って送り速度を制御し、有効的に設備の信頼性を高める。
【００３３】
設備が安定に動作する時に、前記ホッパにたえまなく台所のごみを入れて、制御プログラムを使って前記ギア台を制御し回転し、間欠送り機能を実現し、設備の作業効率を高める。
【００３４】
本発明は構造が簡単で、使用が便利で、この設備が低温スチームを使ってカム構造を駆動しごみを粉砕し、有効的に仕事効率を高める。
【００３５】
以上に述べたのはただ本発明のより良い実施例で、本発明を限定することに使わないである。本発明の意義と原則のもとで行う全ての修正、同等の入れ替えと改善などは本発明の保護範囲に含まれる。したがって、発明の保護範囲は特許請求の範囲が画定する保護範囲を基準とすべきである。